(57)【要約】  【課題】  重量や体積の嵩む運搬物を運搬する際の労力を低減し、作業効率の良いハンドカートを提供する。  【解決手段】  ハンドカート１のアーム５０は、カート本体２の前側上下に回転可能に取り付けられる本体側アーム５１と、本体側アームの先端側に前後に移動自在に配置される先端側アーム５２とを有し、先端側アーム５２には挟持部５８が、本体側アーム５１には挟持部５５が取り付けられ、アーム５０を床面Ｆに置かれた運搬物Ｓの上方に位置させ、先端側アーム５２を後側に引き込むことで運搬物Ｓを挟持部５５，５８で挟持してからカート本体２を後側に傾斜させることにより、運搬物Ｓを床面Ｆから浮かせた状態で運搬する。【選択図】  図９
2018184070.tif 000002
【特許請求の範囲】
【請求項１】
カート本体と、
前記カート本体から上方に延びるハンドルと、
前記カート本体の下部に回転自在に配置される車輪と、
を有した運搬物を手押しで運搬するハンドカートであって、
前記カート本体には、該カート本体から前方に延びるアームが設けられ、
前記アームには、運搬物を挟み込んで支持する挟持部が設けられ、
前記アームを床面に置かれた運搬物の上方に位置させ、前記挟持部で運搬物を挟持してから前記カート本体を後側に傾斜させることにより、運搬物を床面から浮かせた状態で運搬可能としたこと、
を特徴とするハンドカート。
【請求項２】
前記アームは、前記カート本体に原点位置から前側上下に所定区間回転可能に取り付けられる本体側アームと、該本体側アームの先端側に前後に移動自在に配置される先端側アームとを有し、
前記挟持部で運搬物を挟持した場合に、前記本体側アームの下方向への回転を規制する回転規制手段を有し、
前記挟持部は、前記先端側アームに取り付けられる先端側挟持部と、該先端側挟持部に対向して前記本体側アームに取り付けられる本体側挟持部と、を含み、
運搬物を挟持する場合には、
前記先端側挟持部と前記本体側挟持部との間に運搬物を位置させ、前記先端側アームを後方向に移動させることで、運搬物の前後を前記先端側挟持部と前記本体側挟持部とで挟持するとともに、前記先端側アームの前方向への移動を規制すること、
を特徴とする請求項１記載のハンドカート。
【請求項３】
前記先端側アームは、前記本体側アーム側に延びる棒部材が取り付けられ、該棒部材の移動に伴って前後方向に移動可能に設けられ、
前記本体側アームには、前記棒部材を挿通する孔が穿設されたストッパー板と、該ストッパー板の姿勢を第１の状態と第２の状態とに変化させるストッパー板姿勢変化手段と、が設けられ、
前記第１の状態の前記ストッパー板の姿勢においては、前記ストッパー板の孔と前記棒部材とが離間して、前記棒部材の前後方向の移動を可能にし、
前記第２の状態の前記ストッパー板の姿勢においては、前記ストッパー板の孔が前記棒部材の上面および下面に当接して、前記棒部材の前方向への移動を規制するとともに後方向の移動を可能にしたこと、
を特徴とする請求項２記載のハンドカート。
【請求項４】
前記ストッパー板を前方向へ付勢する付勢手段と、
前記ストッパー板の下部の前方向への移動を規制する規制部材と、を有し、
前記ストッパー板姿勢変化手段は、
前記ストッパー板の上部に係合して該ストッパー板の姿勢を前記付勢手段の前方向への付勢に抗して前記第１の状態に保持するとともに、前記ストッパー板の上部から係脱して該ストッパー板の姿勢を前記付勢手段の前方向への付勢により前記第２の状態に保持すること、
を特徴とする請求項３記載のハンドカート。
【請求項５】
前記ストッパー板姿勢変化手段は、操作手段と、前後方向に移動可能な係合部材と、該係合部材を後方向に付勢する付勢部材とを有し、
前記係合部材は、前記ストッパー板の上部から係脱して前記ストッパー板の姿勢を前記第２の状態に保持する係脱位置と、前記ストッパー板の上部に係合して前記ストッパー板の姿勢を前記第１の状態に保持する係合位置との間を移動可能とし、
前記操作手段は、第１操作部と、第２操作部とを有し、
前記第１操作部を操作することにより、前記係合部材を前記付勢部材の前方向への付勢に抗して前記係合位置から前記係脱位置に移動させ、前記第２操作部を操作することにより、前記係合部材を前記付勢部材の後方向への付勢により前記係脱位置から前記係合位置に移動させること、
を特徴とする請求項４記載のハンドカート。
【請求項６】
前記先端側挟持部および前記本体側挟持部は、運搬物を挟持する挟持面が板状に形成されて上下に所定区間回転可能に設けられ、
運搬物を挟持する場合において、前記先端側挟持部および前記本体側挟持部の前記挟持面は、
運搬物に当接するまでは側面視ハ字状になるように設けられ、運搬物に当接した後は、前記先端側アームの後方向への移動に伴って側面視平行状になるように遷移すること、
を特徴とする請求項２から請求項５のいずれか１項に記載のハンドカート。
【請求項７】
前記先端側挟持部は、左右方向に所定区間移動可能に設けられていること、
を特徴とする請求項２から請求項６のいずれか１項に記載のハンドカート。
【請求項８】
前記先端側挟持部および前記本体側挟持部は、運搬物を挟持した状態で互いの距離が短くなるように下方に回転可能に前記先端側アームおよび前記本体側アームに軸支されていること、
を特徴とする請求項２から請求項７のいずれか１項に記載のハンドカート。
【請求項９】
前記先端側アームまたは前記本体側アームは、運搬物に応じて所定の長さに形成され、前記先端側アームの後方向への移動を、予め決められた距離だけ行うことにより運搬物を挟持すること、
を特徴とする請求項２から請求項８のいずれか１項に記載のハンドカート。
【請求項１０】
前記先端側アームの後方向への移動を予め決められた距離だけ行うための目安が設けられていること、
を特徴とする請求項９記載のハンドカート。
【請求項１１】
前記先端側挟持部または前記本体側挟持部は、前記先端側アームまたは前記本体側アームに取り付けられる位置を運搬物に合わせて変更可能としたこと、
を特徴とする請求項９または請求項１０記載のハンドカート。
【請求項１２】
前記カート本体の下部には、前記挟持部で運搬物を挟持したときに該運搬物の下端部と当接する下ずれ防止板を着脱可能に設けたこと、
を特徴とする請求項１から請求項１１のいずれか１項に記載のハンドカート。
【請求項１３】
前記カート本体には、原点位置から後側上下に所定区間回転可能であって、下部に補助車輪を有した支柱が取り付けられ、該支柱は、後側上方に最大限回転させることにより前記カート本体と係合して位置が固定され、
運搬物は遊技機とし、
前記挟持部で前記遊技機を挟持してから前記カート本体を後側に傾斜させるとともに、前記支柱を後側上方に最大限回転させて前記補助車輪を床面と接地させた状態では、前記遊技機の最上点と最下点を通る対角線がほぼ垂直になるようにしたこと、
を特徴とする請求項１から請求項１２のいずれか１項に記載のハンドカート。
【発明の詳細な説明】
【技術分野】
【０００１】
本発明は、遊技機などの運搬物を手押しで運搬するハンドカートに関する。
【背景技術】
【０００２】
重量や体積の嵩む遊技機やみかん箱などは、一般に台車に載せて運搬している。例えば、遊技機は、大別してパチンコ遊技機とパチスロ遊技機（回胴式遊技機）の２種類の機種があり、これらの遊技機は、高さが８１０センチで一台当たり数十キロの重量があり（パチスロ遊技機の方がパチンコ遊技機よりも重たい。）、入れ替えやメンテナンスなどのために遊技場に設置する場合には、その重量から四輪台車等を用いて運搬していた。
【０００３】
近年、これらの遊技機は大型の液晶表示装置などの電子機器を備え、しかも、多くの装飾を施したものが人気を博しており、これに伴い遊技機の重量が従来に比べてさらに重たくなって来ている。しかしながら、従来のように遊技機を台車で運搬する場合には、遊技機を持ち上げて載置台に載せなくてはならず、その持ち上げ作業には多くの労力が必要となり、作業性が悪いという問題点がある。特に、女性や老人など、力の弱い者にとっては過酷な作業を強いられることになり、なおさらである。
【０００４】
そこで、特許文献１には、遊技機を載置台上に載せる作業性を良くするため、載置台の上面に遊技機を起立状態でその下部が嵌まり込む凹長溝を設け、該凹長溝にローラを配置し、遊技機の片側を持ち上げてローラ上に載せた後、遊技機の他側を床面から浮かせるようにして遊技機をそのまま凹長溝内に引き入れる運搬用台車が提案されている。
【先行技術文献】
【特許文献】
【０００５】
【特許文献１】特開２００９−１７８３７９号公報
【発明の概要】
【発明が解決しようとする課題】
【０００６】
しかしながら、特許文献１の運搬用台車にあっては、遊技機を完全に持ち上げて載置台の上面に載せる必要はないものの、遊技機の片側を持ち上げ、載置台のローラ上に載せて引き入れなければならないので、その結果、依然としてその持ち上げ作業には相応の労力が必要となり、作業性の改善には不十分である。そして、このような問題点は、遊技機以外の重量や体積の嵩む他の運搬物においても同様にある。
【０００７】
本発明は、上記したような問題点に鑑みなされたもので、その目的とするところは、重量や体積の嵩む運搬物を運搬する際の労力を低減し、作業効率の良いハンドカートを提供することにある。
【課題を解決するための手段】
【０００８】
本発明は、以下の適用例として実現することが可能である。なお、本欄における括弧内の参照符号や補足説明等は、本発明の理解を助けるために、後述する実施形態との主な対応関係を示したものであって、本発明を何ら限定するものではない。
【０００９】
［適用例１］
本発明の適用例１のハンドカートは、カート本体（２）と、前記カート本体から上方に延びるハンドル（４）と、前記カート本体の下部に回転自在に配置される車輪（１７）と、を有した運搬物を手押しで運搬するハンドカート（１）であって、前記カート本体には、該カート本体から前方に延びるアーム（５０）が設けられ、前記アームには、運搬物を挟み込んで支持する挟持部（５５，５８）が設けられ、前記アームを床面に置かれた運搬物の上方に位置させ、前記挟持部で運搬物を挟持してから前記カート本体を後側に傾斜させることにより、運搬物を床面から浮かせた状態で運搬可能としたこと、を要旨とする。
従って、このような構成の適用例１記載の発明では、運搬物を手で持ち上げる必要がなく、運搬物を床面に置いたままで該運搬物を上方から挟持部で挟持して運搬することができる。その結果、重量や体積の嵩む運搬物を運搬する際の労力を低減し、作業性が向上する。
【００１０】
［適用例２］
本発明の適用例２のハンドカートは、適用例１記載のハンドカートにおいて、前記アームは、前記カート本体に原点位置から前側上下に所定区間回転可能に取り付けられる本体側アーム（５１）と、該本体側アームの先端側に前後に移動自在に配置される先端側アーム（５２）とを有し、前記挟持部で運搬物を挟持した場合に、前記本体側アームの下方向への回転を規制する回転規制手段（５４）を有し、前記挟持部は、前記先端側アームに取り付けられる先端側挟持部（５８）と、該先端側挟持部に対向して前記本体側アームに取り付けられる本体側挟持部（５５）と、を含み、運搬物を挟持する場合には、前記先端側挟持部と前記本体側挟持部との間に運搬物を位置させ、前記先端側アームを後方向に移動させることで、運搬物の前後を前記先端側挟持部と前記本体側挟持部とで挟持するとともに、前記先端側アームの前方向への移動を規制すること、を要旨とする。
従って、このような構成の適用例２記載の発明では、運搬物を挟持する場合は、アームの下方向への回転および先端側アームの前方向への移動が規制された状態で、先端側アームを後方向に移動させるだけなので、その結果、極めて容易に運搬物を挟持することができる。また、アームは、未使用時に原点位置に折り畳んでおくことができ、ハンドカートを保管するときに場所をとることがない。
【００１１】
［適用例３］
本発明の適用例３のハンドカートは、適用例２記載のハンドカートにおいて、前記先端側アームは、前記本体側アーム側に延びる棒部材（６６）が取り付けられ、該棒部材の移動に伴って前後方向に移動可能に設けられ、前記本体側アームには、前記棒部材を挿通する孔（４６ｃ）が穿設されたストッパー板（４６）と、該ストッパー板の姿勢を第１の状態（図５（ａ））と第２の状態（図５（ｂ））とに変化させるストッパー板姿勢変化手段（２５）と、が設けられ、前記第１の状態の前記ストッパー板の姿勢においては、前記ストッパー板の孔と前記棒部材とが離間（図５（ａ））して、前記棒部材の前後方向の移動を可能にし、前記第２の状態の前記ストッパー板の姿勢においては、前記ストッパー板の孔が前記棒部材の上面（図５（ｂ）に示すポイントＡ）および下面（図５（ｂ）に示すポイントＢ）に当接して、前記棒部材の前方向への移動を規制するとともに後方向の移動を可能にしたこと、を要旨とする。
従って、このような構成の適用例３記載の発明では、運搬物を挟持する場合は、先端側アームに取り付けられた棒部材を引き込む（後方向へ移動する）だけで行うことができる。しかも、ストッパー板の姿勢を第２の状態にすれば、棒部材の前方向への移動は規制されるとともに後方向の移動は許容されているので、この状態（第２の状態）で棒部材を引き込んで運搬物を挟持した後、棒部材の引き込みをやめるだけで、該棒部材は自動的に停止する。すなわち、本発明によれば、棒部材を引き込だけの動作で、極めて容易に運搬物を挟持することができる。
なお、ストッパー板の姿勢を第１の状態で棒部材を引き込んだ後、ストッパー板の姿勢を第２の状態にするようにしても、運搬物を挟持することができる。
【００１２】
［適用例４］
本発明の適用例４のハンドカートは、適用例３記載のハンドカートにおいて、前記ストッパー板を前方向へ付勢する付勢手段（４８）と、前記ストッパー板の下部の前方向への移動を規制する規制部材（４７）と、を有し、前記ストッパー板姿勢変化手段は、前記ストッパー板の上部（４６ａ）に係合して該ストッパー板の姿勢を前記付勢手段の前方向への付勢に抗して前記第１の状態に保持するとともに、前記ストッパー板の上部から係脱して該ストッパー板の姿勢を前記付勢手段の前方向への付勢により前記第２の状態に保持すること、を要旨とする。
従って、このような構成の適用例４記載の発明では、ストッパー板の姿勢を極めてシンプルな構成で保持することができる。その結果、複雑な構成を必要とせずコストダウンがはかれる。
【００１３】
［適用例５］
本発明の適用例５のハンドカートは、適用例４記載のハンドカートにおいて、前記ストッパー板姿勢変化手段は、操作手段（３０，３１）と、前後方向に移動可能な係合部材（２７）と、該係合部材を後方向に付勢する付勢部材（３３）とを有し、前記係合部材は、前記ストッパー板の上部から係脱して前記ストッパー板の姿勢を前記第２の状態に保持する係脱位置（図５（ｂ））と、前記ストッパー板の上部に係合して前記ストッパー板の姿勢を前記第１の状態に保持する係合位置（図５（ａ））との間を移動可能とし、前記操作手段は、第１操作部（３０）と、第２操作部（３１）とを有し、前記第１操作部を操作することにより、前記係合部材を前記付勢部材の前方向への付勢に抗して前記係合位置から前記係脱位置に移動させ、前記第２操作部を操作することにより、前記係合部材を前記付勢部材の後方向への付勢により前記係脱位置から前記係合位置に移動させること、を要旨とする。
従って、このような構成の適用例５記載の発明では、第１操作部を操作するだけでストッパー板の姿勢を第２の状態にすることができ、第２操作部を操作するだけでストッパー板の姿勢を第１の状態にすることができる。すなわち、本発明によれば、極めて容易にストッパー板の姿勢を変化させることができ、その結果、使い勝手がよくなり、作業性が向上する。
【００１４】
［適用例６］
本発明の適用例６のハンドカートは、適用例２から適用例５のいずれか１つに記載のハンドカートにおいて、前記先端側挟持部および前記本体側挟持部は、運搬物を挟持する挟持面が板状に形成されて上下に所定区間回転可能に設けられ、運搬物を挟持する場合において、前記先端側挟持部および前記本体側挟持部の前記挟持面は、運搬物に当接するまでは側面視ハ字状（図３）になるように設けられ、運搬物に当接した後は、前記先端側アームの後方向への移動に伴って側面視平行状（図７）になるように遷移すること、を要旨とする。
従って、このような構成の適用例６記載の発明では、容易に先端側挟持部と本体側挟持部との間に運搬物が位置するようにアームをセットできる。また、先端側挟持部と本体側挟持部とでしっかりと運搬物を挟持することができる。
【００１５】
［適用例７］
本発明の適用例７のハンドカートは、適用例２から適用例６のいずれか１つに記載のハンドカートにおいて、前記先端側挟持部は、左右方向に所定区間移動可能に設けられていること（図８）、を要旨とする。
従って、このような構成の適用例７記載の発明では、運搬物を挟持する際、運搬物に対してアームが斜めになっている状態で挟持しようとした場合であっても、適正に挟持することができる。
【００１６】
［適用例８］
本発明の適用例８のハンドカートは、適用例２から適用例７のいずれか１つに記載のハンドカートにおいて、前記先端側挟持部および前記本体側挟持部は、運搬物を挟持した状態で互いの距離が短くなるように下方に回転可能に前記先端側アームおよび前記本体側アームに軸支されていること（図１１）、を要旨とする。
従って、このような構成の適用例８記載の発明では、運搬物を浮かせて運搬する際、より強力に先端側挟持部と本体側挟持部とで運搬物を挟持することができる。その結果、運搬時における運搬物の下ずれや落下などを抑止することができる。
【００１７】
［適用例９］
本発明の適用例９のハンドカートは、適用例２から適用例８のいずれか１つに記載のハンドカートにおいて、前記先端側アームまたは前記本体側アームは、運搬物に応じて所定の長さに形成され、前記先端側アームの後方向への移動を、予め決められた距離だけ行うことにより運搬物を挟持すること（図３，７）、を要旨とする。
従って、このような構成の適用例９記載の発明では、運搬物を挟持する際の作業が容易となる。
【００１８】
［適用例１０］
本発明の適用例１０のハンドカートは、適用例９記載のハンドカートにおいて、前記先端側アームの後方向への移動を予め決められた距離だけ行うための目安（６５）が設けられていること、を要旨とする。
従って、このような構成の適用例１０記載の発明では、運搬物の挟持作業が適正に行われたか否か、すなわち先端側アームを適正な長さだけ後方向へ移動したか否かを容易に判断することができる。なお、目安は、目視できるものに限らず、音が発せられるものや、操作が規制されるものなど、操作者が認識可能なものであればよい。
【００１９】
［適用例１１］
本発明の適用例１１のハンドカートは、適用例９または適用例１０記載のハンドカートにおいて、前記先端側挟持部または前記本体側挟持部は、前記先端側アームまたは前記本体側アームに取り付けられる位置を運搬物に合わせて変更可能としたこと（６１，６２）、を要旨とする。
従って、このような構成の適用例１１記載の発明では、幅の異なる複数種類の運搬物を挟持して運搬することができ、極めて使い勝手がよい。
【００２０】
［適用例１２］
本発明の適用例１２のハンドカートは、適用例１から適用例１１のいずれか１つに記載のハンドカートにおいて、前記カート本体の下部には、前記挟持部で運搬物を挟持したときに該運搬物の下端部（Ｓ３）と当接する下ずれ防止板（９０）を着脱可能に設けたこと、を要旨とする。
従って、このような構成の適用例１２記載の発明では、運搬時における運搬物の下方へのずれや落下を抑止することができる。また、運搬物の下端部と当接させる作業が煩わしい場合、ハンドカートは、下ずれ防止板を取り外して使用することもでき、極めて使い勝手がよい。
【００２１】
［適用例１３］
本発明の適用例１３のハンドカートは、適用例１から適用例１２のいずれか１つに記載のハンドカートにおいて、前記カート本体には、原点位置から後側上下に所定区間回転可能であって、下部に補助車輪（７３）を有した支柱（７１）が取り付けられ、該支柱は、後側上方に最大限回転させることにより前記カート本体と係合して位置が固定され、運搬物は遊技機（Ｓ）とし、前記挟持部で前記遊技機を挟持してから前記カート本体を後側に傾斜させるとともに、前記支柱を後側上方に最大限回転させて前記補助車輪を床面と接地させた状態では、前記遊技機の最上点（Ｐ１）と最下点（Ｐ２）を通る対角線がほぼ垂直になるようにしたこと（図１２）、を要旨とする。
従って、このような構成の適用例１３記載の発明では、補助車輪を使用した状態で遊技機を運搬する際、前後方向のバランスが最も安定した状態になる。その結果、遊技機の運搬を、転倒などのトラブルを抑止した極めて安全な状態で行うことができる。また、支柱は、未使用時に原点位置に折り畳んでおくことができ、ハンドカートを保管するときに場所をとることがない。
【発明の効果】
【００２２】
本発明によれば、運搬物を手で持ち上げる必要がなく、運搬物を床面に置いたままで該運搬物を上方から挟持して運搬することができる。その結果、重量や体積の嵩む運搬物を運搬する際の労力を低減し、作業性が良くなる。
【図面の簡単な説明】
【００２３】
【図１】ハンドカート１の正面図である。
【図２】ハンドカート１の右側面図である。
【図３】アーム５０が回転する様子を示す説明図（右側面図）である。
【図４】ストッパー制御部２５の構成を示す説明図である。
【図５】ストッパー制御部２５とストッパー機構部４５の動作状態を示す説明図である。
【図６】リンク機構部３５の構成を示す説明図である。
【図７】ハンドカート１に運搬物としてのパチスロ遊技機Ｓを挟持した状態を示す説明図である。
【図８】先端側アーム５２に取り付けられる挟持部５８の構成、および、アーム５０が斜めになっているときに、パチスロ遊技機Ｓを挟持するときの状態を示す説明図である。
【図９】ハンドカート１に挟持したパチスロ遊技機Ｓが床面Ｆから浮いた状態を示す説明図である。
【図１０】挟持部５５および挟持部５８の取付状態を示す説明図である。
【図１１】パチスロ遊技機Ｓを挟持しているときの、挟持部５５とＬ字棒５６および挟持部５８とＬ字棒５９の動作状態を示す説明図である。
【図１２】補助車輪ユニット７０の使用状態を示す説明図である。
【図１３】他の実施形態に係わる下ずれ防止板９０の構成を示す説明図である。
【図１４】他の実施形態に係わるハンドカート１に挟持したパチスロ遊技機Ｓが床面Ｆから浮いた状態を示す説明図である。
【発明を実施するための形態】
【００２４】
以下に本発明の実施形態を図面と共に説明する。
図１は、ハンドカート１の正面図である。図２は、ハンドカート１の右側面図である。なお、以下の説明においては、ハンドカート１の左方向は矢印Ｌ（図１）、ハンドカート１の右方向は矢印Ｒ（図１）、ハンドカート１の前方向は矢印Ｆ（図２）、ハンドカート１の後方向は矢印Ｂ（図２）に向かう方向として説明する。
本発明のハンドカート１は、遊技機などの運搬物を手押しで運搬するものである。なお、以下の説明では、運搬物を遊技機（パチンコ遊技機、パチスロ遊技機）として説明するが、運搬物はこれに限定されるものではない。
【００２５】
図１，２に示すように、ハンドカート１は、矩形枠状のカート本体２を有し、カート本体２の下部に下部ユニット３、上部にハンドル４が取り付けられている。カート本体２は、上端に左右に横設される円筒状の横パイプ５と、横パイプ５の左右両端から下方に垂直状に延設される円筒状の縦パイプ６を有している。また、２本の縦パイプ６，６の間には、矩形状の上横板７、中横板８が架設されている。
【００２６】
横パイプ５の左右両端には、縦パイプ６から上方に延びるようにハンドル４が設けられ、ハンドル４の上部は、人の手で握り易いように左右略後方に折れ曲がるように形成されている。また、縦パイプ６は、その下端部が下部ユニット３の上板１０に連結されている。下部ユニット３は、水平状の上板１０と、上板１０の前端から下方に垂設される前板１１を有し、上板１０と前板１１とで略逆Ｌ字形状をなしている。前板１１は、その上部に略半円状の窓１２が穿設され、該窓１２の下には、運搬物（遊技機）の側面を支持する支持プレート１３が前板１１の前方に突出するように設けられている。支持プレート１３は、矩形板状に形成され、連結棒１４で前板１１と連結されている。また、支持プレート１３の表面には、緩衝材としての矩形板状に形成されたラバー１５が貼着されている。また、上板１０の左右両端には、それぞれ下方に延びる一対の略三角状の支持板１６が設けられ、この支持板１６に車輪１７が回転自在に軸支されている。また、前板１１の中央であって、窓１２上方の裏面側には、後述する補助車輪ユニット７０を垂直状に収納する収納部材１８（図１参照）が設けられている。この収納部材１８は磁石部（図示省略）を有し、補助車輪ユニット７０に設けられた鉄製のユニット本体７１を吸着している。
【００２７】
上横板７は、スプリング２０により吊設され、縦パイプ６に沿って上下に摺動可能に設けられている（後述の図３の矢印Ｃ参照）。この上横板７は、後述するアーム５０（本体側アーム５１）と係合し、アーム５０の回転移動を規制する機能を有する。図２に示す２１は、ラバーなどで形成される保護材であり、この保護材２１は、アーム５０（本体側アーム５１）が係合したときに上横板７を保護する部材であり、上横板７の略中央周面に貼設されている。また、図２に示す２２は、取手であり、この取手２２は、上横板７の後面下側の中央にコ字状に突出するように設けられている。取手２２は、上横板７を上下に摺動するときに用いられるとともに、ハンドカート１を後方側に移動させるときにも片手で使用することができる。
【００２８】
中横板８は、図２に示すように、前面側略中央には、アーム５０と当接したときに中横板８を保護するためのゴムなどで形成された緩衝材２３が設けられ、裏面側略中央には、後述する補助車輪ユニット７０を取り付けるための一対の略台形状の支持板２４が、後側に突設されている。補助車輪ユニット７０は、この支持板２４により、後側に所定区間回動可能に軸支されている。
【００２９】
アーム５０は、図３の矢印Ａに示すように、カート本体２に対して、前側上下に所定区間回転可能に取り付けられている。図３は、アーム５０が回転する様子を示す説明図（右側面図）である。アーム５０は、大別すると、本体側アーム５１と先端側アーム５２からなっており、先端側アーム５２は、矢印Ｂに示すように、本体側アーム５１の先端側に前後に移動自在に配置されている。本体側アーム５１および先端側アーム５２は、内部が空洞の略四角柱状に形成され、先端側アーム５２は、本体側アーム５１に後部側が移動自在に挿入された状態となっている。アーム５０（本体側アーム５１）は、図１，２に示すカート本体２の前側中央で、原点位置（収納位置ともいう）に自重により折り畳まれた状態から、二点鎖線に示す位置（カート本体２に対しておおよそ１２０度）まで前側上方に回転可能となっている。
【００３０】
本体側アーム５１の後端部には、横パイプ５に回転自在に軸支された支持アーム５３が連結され、本体側アーム５１と支持アーム５３とで略Ｌ字状に形成されている。つまり、アーム５０の回転は、支持アーム５３が横パイプ５を軸として回転することにより行われる。また、支持アーム５３には、図２に示すように係合板５４が突設されており、この係合板５４は、アーム５０がカート本体２に対しておおよそ９０度回転した状態で上横板７（保護材２１）と係合するようになっている。
【００３１】
つまり、アーム５０を原点位置から回転させる場合には、支持アーム５３と衝突しないように上横板７を原点位置からスプリング２０の付勢に抗して下方に移動させ、アーム５０が略水平以上に回転したらスプリング２０の付勢により上横板７を原点位置に戻してから、係合板５４を上横板７（保護材２１）に係合させる。これにより、アーム５０は、カート本体２に対して略直角になった状態に維持される。すなわち、係合板５４は、アーム５０の水平状態から下方向への回転を規制する回転規制部として機能する。
【００３２】
本体側アーム５１には、運搬物を挟み込んで挟持するための挟持部５５がＬ字棒５６により取り付けられている。Ｌ字棒５６は、本体側アーム５１の両側面に支軸５７で上下に回転可能に取り付けられている。従って、挟持部５５も、Ｌ字棒５６に連動して上下に回転可能になっている。一方、先端側アーム５２には、運搬物を挟み込んで挟持するための挟持部５８がＬ字棒５９により取り付けられている。つまり、挟持部５５と挟持部５８は対をなし、挟持部５５と挟持部５８で運搬物を挟み込んで挟持するようになっている。なお、挟持部５５と挟持部５８の表面には、運搬物を保護するとともに、挟持力（摩擦力）を高めるためのラバー５５ａとラバー５８ａが貼着されている。Ｌ字棒５９は、先端側アーム５２の内部を通り、孔６１に挿通された支軸６０で上下に回転可能に取り付けられている。従って、挟持部５８も、Ｌ字棒５９に連動して上下に回転可能になっている。
【００３３】
図中、６２は、支軸６０の取付位置を変更するための孔である。遊技機には、大別してパチンコ遊技機とパチスロ遊技機（回胴式遊技機）の２種類の機種があり、これらの遊技機は、高さは統一（８１０センチ）されているものの、幅はパチンコ遊技機の方がパチスロ遊技機よりも長くなっている（パチンコ遊技機は５２０センチ、パチスロ遊技機は４８０センチ）。つまり、挟持部５８の取付位置を変化させることができ、これにより、挟持部５５と挟持部５８との距離は、運搬物（遊技機の種別）に合わせて変更可能となっている。運搬物がパチスロ遊技機の場合には、支軸６０を孔６１に取り付け、運搬物がパチンコ遊技機の場合には、支軸６０を孔６２に取り付ける。なお、図中６３は、支軸６０を孔６２に固定するための固定ピンである。また、図中６４は、アーム５０を回転操作するための摘みである。なお、孔６１，６２を１つの長孔で代用するようにしてもよい。また、運搬物の種別の数に応じて孔を３つ以上設けるようにしてもよい。
【００３４】
挟持部５５と挟持部５８との距離は、運搬物を容易に挟み込むことができるように、運搬物の幅よりも予め定められた長さだけ（例えば４０センチ程度）長く設定されるようになっている（以下、この設定された長さを「有余長」ともいう）。従って、運搬物を挟持部５５と挟持部５８とで挟持する場合には、挟持部５８が取り付けられている先端側アーム５２を、有余長だけ後方向へ移動させることで行うことができる。
本体側アーム５１の内部には、図３に示す付勢手段６８が設けられており、この付勢手段６８は、先端側アーム５２を、矢印Ｄに示すように前方向に付勢している。従って、先端側アーム５２は、常時は、図３に示すように、最も延びた状態（以下、最長状態ともいう）になっている。そして、先端側アーム５２の後方側には棒部材６６が連結されており、この先端側アーム５２の後方向への移動は、後述のリンク機構部３５を動作させて、棒部材６６を付勢手段６８の付勢に抗して後方向へ移動させることにより行うことができる。
【００３５】
ここで、図中６５は、目安部であり、つまり運搬物を挟持部５５と挟持部５８とで挟持する場合には、この目安部６５が見えなくなるまで先端側アーム５２を後方向へ移動させればよい（後述の図７参照）。すなわち、目安部６５の長さは、有余長と同等の長さになっている。なお、有余長は、先端側アーム５２を有余長だけ後方向へ移動したとき、挟持部５５と挟持部５８との距離が運搬物よりもわずかに短くなる（２，３ミリ程度）ように設定してもよい。このように有余長を設定しても、ラバー５５ａ，５８ａが撓むことにより、より強力に運搬物を挟持部５５と挟持部５８とで挟持することができる。
【００３６】
本体側アーム５１の後部には、ストッパー制御部２５とリンク機構部３５が設けられている。ストッパー制御部２５は、後述する本体側アーム５１に内蔵されたストッパー機構部４５の作動を制御して、先端側アーム５２の前後方向への移動を規制する機能を有する。リンク機構部３５は、運搬物を挟持する場合に、後述する操作部３６の回転運動を直線運動に変換して先端側アーム５２を引き込む（後方向へ移動させる）機能を有する。
【００３７】
図４は、ストッパー制御部２５の構成を示す説明図であり、図５は、ストッパー制御部２５とストッパー機構部４５の動作状態を示す説明図である。
ストッパー制御部２５は、本体側アーム５１の上面に取り付けられる略箱状のハウジング２６と、ハウジング２６に挿通された往復運動するプランジャー２７とを有している。ハウジング２６は、上面２６ａと、前面２６ｂと、後面２６ｃと、２つの側面２６ｄとで囲繞された断面コ字の溝２８を有し、この溝２８には板バネ２９が設けられている。板バネ２９は、アーム５０の先端側（以下、単に先端側、または、前側ともいう）である前面２６ｂに固定される固定板２９ａと、固定板２９ａからアーム５０の本体側（以下、単に本体側、または、後側ともいう）である後面２６ｃ側に延びる自由端としてのＬ字板２９ｂとを有している。Ｌ字板２９ｂは、上面２６ａと略平行の横板部２９ｅと、固定板２９ａ（および前面２６ｂ）と略平行の縦板部２９ｆとでＬ字状に形成され、常時、上面２６ａ側（以下、単に上側ともいう）に付勢されている。固定板２９ａと縦板部２９ｆ、および、前面２６ｂと後面２６ｃのそれぞれには、プランジャー２７を挿通するための孔２９ｃ，２９ｄおよび孔２６ｅ，２６ｆが穿設されている。また、プランジャー２７の本体側の先端には第１ボタン３０、Ｌ字板２９ｂの上面２６ａ側には第２ボタン３１が取り付けられている。
【００３８】
プランジャー２７において、略中央箇所には円状の溝３２が穿設され、溝３２近傍の本体側寄りの箇所には鍔１９が外周に沿って固着されている。この鍔１９は、ハウジング２６の後面２６ｃと当接してプランジャー２７の本体側への移動を規制する部材である。また、プランジャー２７には、スプリング３３が挿着されている。プランジャー２７は、本体側の方が先端側よりも大径に形成され、その境界に段差部３４を有している。スプリング３３は、プランジャー２７の小径側である先端側に挿着され、段差部３４と固定板２９ａとの間に介在するように設けられている。
また、ハウジング２６の上面２６ａの略中央には、第２ボタン３１が出没可能な孔２６ｅが穿設されている。
【００３９】
図４（ａ）は、プランジャー２７が第１位置にある状態を示すストッパー制御部２５の側面図および底面図、図４（ｂ）は、プランジャー２７が第２位置にある状態を示すストッパー制御部２５の側面図および底面図である。第１位置では、プランジャー２７は、第１ボタン３０が最も本体側に位置し、第２ボタン３１は、ハウジング２６の上面２６ａとほとんど同じ高さに位置している（第２ボタン３１は、側面からわずかに覗ける程度）。第２位置では、プランジャー２７は、最も先端側に位置し、第２ボタン３１は、ハウジング２６の上面２６ａから突出した状態になっている。
【００４０】
図４（ａ）に示す第１位置では、板バネ２９のＬ字板２９ｂは、縦板部２９ｆが段差部３４近傍で大径側のプランジャー２７と係合している。また、鍔１９は、ハウジング２６の後面２６ｃと当接し、プランジャー２７の本体側への移動を規制している。この状態から、第１ボタン３０を矢印Ｐ１に示すように、スプリング３３の付勢に抗して前側に押圧する。すると、図４（ｂ）に示すように、縦板部２９ｆが、Ｌ字板２９ｂ自身の上側への付勢により溝３２に嵌り込み、プランジャー２７は、第１位置から第２位置に移動して停止する。このとき、Ｌ字板２９ｂは上側に移動（回転移動）し、第２ボタン３１がハウジング２６の上面２６ａから突出する。また、この図４（ｂ）に示す第２位置の状態で、第２ボタン３１を矢印Ｐ２に示すように、板バネ２９の付勢に抗して下側に押圧すると、縦板部２９ｆと溝３２との嵌合が外れ、プランジャー２７はスプリング３３の本体側への付勢により後側へ移動し、鍔１９がハウジング２６の後面２６ｃと当接することにより、第１位置で停止する。
すなわち、ストッパー制御部２５は、プランジャー２７を、第１ボタン３０を押圧するだけのワンタッチ操作で、第１位置から第２位置に移動することができ、かつ、第２ボタン３１を押圧するだけのワンタッチ操作で、第２位置から第１位置に移動することができる。
【００４１】
図５を参照しながら、ストッパー機構部４５の構成について説明する。ストッパー機構部４５は、本体側アーム５１後端の内部であって、支持アーム５３との連結箇所の略上方に設けられている。ストッパー機構部４５は、ストッパー板４６と、位置規制部４７と、スプリング４８とを有している。ストッパー板４６は、矩形状の板部４６ｂの上部に、円形状の棒部４６ａが連結されて形成され、棒部４６ａは、その先端部分が本体側アーム５１の上面からわずかに突出するように設けられ、板部４６ｂは、その下端部分が位置規制部４７と係合するように設けられている。板部４６ｂは、その中心部に円形状の孔４６ｃが穿設されており、孔４６ｃには、先端側アーム５２と連結された棒部材６６が挿通されている。なお、棒部材６６は、水平状に本体側アーム５１の内部を通り、その後端側が本体側アーム５１から突出して後述するリンク機構部３５に連結されるようになっている。
【００４２】
棒部材６６には、ストッパー板４６の板部４６ｂと、本体側アーム５１の後端カバー６７との間に、スプリング４８が介挿されている。このスプリング４８は、常時、板部４６ｂの中心付近を前方向へ付勢する付勢手段として機能する。位置規制部４７は、本体側アーム５１の両側面の下部側に水平状に架け渡された円形状の前棒４７ａと後棒４７ｂとを有している。前棒４７ａと後棒４７ｂは、平行に、かつ、同じ高さ位置で隙間をもって設けられ、この隙間に板部４６ｂの下部が遊嵌されている。つまり、位置規制部４７は、ストッパー板４６下部の前方向への移動を規制する規制部材として機能する。
【００４３】
図５（ａ）は、ストッパー板４６が第１状態になっている場合を示す説明図、図５（ｂ）は、ストッパー板４６が第２状態になっている場合を示す説明図である。第１状態では、プランジャー２７が第１位置にあり、第１ボタン３０がスプリング４８の付勢に抗してストッパー板４６の棒部４６ａと係合して該棒部４６ａを本体側に押圧する。これにより、ストッパー板４６の姿勢は略垂直状に保持され、板部４６ｂに設けられた孔４６ｃと棒部材６６とは当接することなく離間している。その結果、棒部材６６、すなわち先端側アーム５２は、矢印ＦＢに示すように、前後方向への移動が可能になる。この第１状態においては、先端側アーム５２は、付勢手段６８の付勢により、最長状態（図３参照）になっている。なお、図中、３８および３９は、リンク機構部３５を構成するスライダーおよびスプリングであり、これらの説明については後述する。
【００４４】
図５（ａ）に示すストッパー板４６が第１状態になっている状態で、第１ボタン３０を先端側に押圧すると、図５（ｂ）に示すように、プランジャー２７が第１位置から第２位置へ移動し、第１ボタン３０とストッパー板４６の棒部４６ａとが離間し、棒部４６ａから第１ボタン３０が係脱する。すると、ストッパー板４６は、スプリング４８の付勢により、板部４６ｂの下部が位置規制部４７の前棒４７ａに当接して前方向への移動が規制されるため、ストッパー板４６全体（棒部４６ａおよび板部４６ｂ）が前方向に傾斜し、板部４６ｂと棒部材６６とは、図５（ｂ）に示すポイントＡおよびポイントＢで当接する。つまり、ストッパー板４６の孔４６ｃが棒部材６６の上面（ポイントＡ）および下面（ポイントＢ）に当接し、ストッパー板４６を略垂直状の姿勢（第１状態）から前方向に傾斜した姿勢（第２状態）に保持する。その結果、棒部材６６、すなわち先端側アーム５２は、矢印Ｂに示すように、後方向への移動が可能になるとともに、前方向への移動が規制される。後方向への移動が可能になるのは、後方向への移動は、ストッパー板４６が略垂直状の姿勢（第１状態）に戻る方向に作用するからであり、前方向への移動が規制されるのは、前方向への移動は、ストッパー板４６が前方向にさらに傾斜しようとする方向に作用するからである。
【００４５】
また、この図５（ｂ）に示す第２状態で、第２ボタン３１を下方に押圧すると（図４（ｂ）の矢印Ｐ２参照）、プランジャー２７は第２位置から第１位置へ移動し、ストッパー板４６は第２状態から第１状態になるので、先端側アーム５２は、付勢手段６８の付勢により、直ちに図３に示す最長状態に復帰する。これにより、挟持されていた運搬物（遊技機）は、容易にハンドカート１から取り外すことができる。
すなわち、ストッパー機構部４５は、ストッパー板４６を、第１ボタン３０を押圧するだけのワンタッチ操作で、第１状態から第２状態に変化させることができ、かつ、第２ボタン３１を押圧するだけのワンタッチ操作で、第２状態から第１状態に変化することができる。これにより、極めて容易に運搬物（遊技機）をハンドカート１に取り付けたり、取り外したりすることができる。
【００４６】
図６は、リンク機構部３５の構成を示す説明図である。リンク機構部３５は、第１リンク部材４０と、第２リンク４１と、第３リンク４２と、スライダー３８とを有している。図６（ｂ）は、第１リンク部材４０を表側から視た斜視図、図６（ｃ）は、第１リンク部材４０を裏側から視た斜視図である。図６（ｂ），（ｃ）に示すように、第１リンク部材４０は、一対の平行状の第１リンク４０ａを有し、第１リンク４０ａ，４０ａの表側端部の間には連結板４０ｂが架け渡されている。また、連結板４０ｂの裏側には、略三角状の突起４０ｃが設けられている。この突起４０ｃは、後に詳述するが、棒部材６６と係合するようになっている。
【００４７】
図６（ａ）は、図３の部分拡大平面図であって、リンク機構部３５が本体側アーム５１に取り付けられた状態を示している。第１リンク部材４０は、第１リンク４０ａの一端側が第１軸支部４３で本体側アーム５１の両側面に軸支され、上下に回転可能に設けられている。一対の平行状に設けられる第２リンク４１の一端側と、第１リンク４０ａの他端側は、第１ジョイント４４でお互いが上下に回転可能に設けられている。一対の平行状に設けられる第３リンク４２の一端側と、第２リンク４１の他端側は、第２ジョイント４９でお互いが上下に回転可能に設けられている。これらのリンクの位置関係は、第１リンク４０ａは第２リンク４１の外側に、第２リンク４１は第３リンク４２の外側にそれぞれ設けられている。
【００４８】
また、棒部材６６には、スライダー３８が前後方向にスライド自在に遊挿されるとともに、その後端にナット８０が取り付けられている。さらに、棒部材６６には、スプリング３９が、スライダー３８とナット８０との間に介在するように挿着されている。ここで、第２リンク４１および第３リンク４２は、図６（ａ）に示すように、第２ジョイント４９でスライダー３８を挟み込むように取り付けられている。従って、第２リンク４１および第３リンク４２は、上下の回転に加え、スライダー３８と一緒になって、棒部材６６に沿いながら前後方向にも移動可能となる。また、図６（ｄ），（ｅ）に示すように、第３リンク４２の他端側は自由端となっており、そこにはグリップ３７が設けられている。このグリップ３７と第３リンク４２とりより、操作部３６を構成する。つまり、操作部３６は、上下に回転するとともに、前後水平方向に移動可能となっている。
【００４９】
図６（ｄ），（ｅ）は、操作部３６を操作して、リンク機構部３５により棒部材６６（先端側アーム５２）を後方向に移動させて運搬物を挟持するときの状態を示している。運搬物を挟持する場合には、グリップ３７を操作して操作部３６（第３リンク４２）を上方に回転させ、リンク機構部３５を、上述した図３に示した状態から図６（ｄ）、図６（ｅ）の順に遷移させることで行うことができる（後述の図７の矢印Ｄ参照）。リンク機構部３５は、図３に示す位置（原点位置）から図６（ｄ）に示す位置に遷移するまでは、操作部３６のみが移動しており、その他の部材は変位することはない。そして、操作部３６が図６（ｄ）に示す位置まで回転すると、第３リンク４２の図６（ｄ）に示す一側面４２ａの所定部位が、第１ジョイント４４の図６（ａ）に示す円形係合部４４ａに当接する。
【００５０】
図６（ｄ）の状態から操作部３６をさらに上方に回転させると、第３リンク４２の一側面４２ａは、第１ジョイント４４の円形係合部４４ａを押し上げながら、その外周を摺動するように回転する。これにより、第１リンク４０ａは、第１軸支部４３を中心に上方に回転し、第２リンク４１は、第１ジョイント４４を中心に後方に回転しながらスライダー３８とともに後方に移動し、第３リンク４２は、第２ジョイント４９を中心に上方に回転しながらスライダー３８とともに後方に移動する。また、スライダー３８が後方に移動すると、スプリング３９は、スライダー３８とナット８０の間で収縮しながら棒部材６６を後方向へ移動させる。つまり、先端側アーム５２が後方向へ移動して本体側アーム５１の内部に引き込まれる。
【００５１】
そして、さらに図６（ｅ）に示す位置まで操作部３６を回転させると、第１リンク４０ａと第２リンク４１は、直線状になった直後に、図６（ｅ）に示すように、略逆への字状に折れ曲がる。棒部材６６（先端側アーム５２）は、第１リンク４０ａと第２リンク４１とが直線状になったときが最も後方向へ移動した状態となり、この状態はストッパー機構部４５により保持される。つまり、棒部材６６の前方向への移動が規制されているので、従って、この状態で挟持部５５と挟持部５８とによる運搬物の挟み込みが終了する。第１リンク４０ａと第２リンク４１とが、直線状から略逆への字状に折れ曲がるのは、操作部３６の回転が、第１リンク４０ａと第２リンク４１とが直線状になった位置からわずかに進んだときで、このとき、第１リンク４０ａおよび第２リンク４１の反動も加わって、第１リンク部材４０に設けられた突起４０ｃが棒部材６６の上面に勢いよく衝突する。その結果、第１リンク４０ａのこれ以上の下方への回転が規制され、操作部３６もこれ以上の回転ができなくなるので、これにより、操作者は、操作部３６による運搬物の挟み込み操作が終了したことを認識する。
【００５２】
すなわち、運搬物の挟み込み操作を行う場合には、操作部３６を回転できなくなるまで操作するだけの極めて簡単な作業で達成することができる。なお、突起４０ｃが棒部材６６の上面に衝突したとき衝突音が発生するので、操作者は、この衝突音（以下、終了音ともいう）によっても、運搬物の挟み込み操作が終了したことを認識することができる。すなわち、突起４０ｃは、運搬物の挟み込み操作終了時におけるリンク機構部の位置決め部材として機能するとともに、運搬物の挟み込み操作が終了したことを報知する報知手段としての機能も有する。
【００５３】
図７は、ハンドカート１に運搬物としてのパチスロ遊技機Ｓを挟持した状態を示す説明図である。パチスロ遊技機Ｓをハンドカート１に挟持する手順は、次のように行う。まず、上横板７を原点位置から下方に移動させ、アーム５０を、摘み６４により図３の二点鎖線に示すようにパチスロ遊技機Ｓよりも高い位置まで回転する。次に、アーム５０を、原点位置に復帰した上横板７（保護材２１）に係合板５４が当接するまで下方に回転させる。この状態では、アーム５０は、図３の実線、図７に示すように、略水平状態となり、アーム５０は、床面Ｆに置かれたパチスロ遊技機Ｓの上面Ｓ４に載置されたような状態となる。つまり、アーム５０は、水平状態になったとき、床面Ｆからの高さがパチスロ遊技機Ｓの高さとほぼ同等になるように設定されている。
【００５４】
次に、ストッパー制御部２５の第１ボタン３０を前方に押し込んで、ストッパー機構部４５を、上述したストッパー板４６が第２状態になる図５（ｂ）に示す状態にする。つまり、前後方向への移動が可能になっていた先端側アーム５２を、後方向のみへの移動が可能なように規制する。そして、図７の矢印Ｄに示すように、グリップ３７を操作して、操作部３６を上方側に回転できなくなるまで回転させる。すると、先端側アーム５２は、矢印Ｂに示すように、図３に示した目安部６５が見えなくなるまで本体側アーム５１に引き込まれ（後方向へ移動）、これにより、パチスロ遊技機Ｓの両側面Ｓ１，Ｓ２が挟持部５５と挟持部５８とで挟み込まれ、パチスロ遊技機Ｓはしっかりと挟持される。なお、パチスロ遊技機Ｓの挟持作業が完全に終了したか否かは、目安部６５が見えなくなったこと、および、終了音が発せられたことにより、確認することができる。また、パチスロ遊技機Ｓを挟持した状態では、パチスロ遊技機Ｓの本体側の側面Ｓ２は、その下部が支持プレート１３のラバー１５と当接し、これにより、挟持部５５および挟持部５８のラバー５５ａ，５８ａと支持プレート１３のラバー１５とで、運搬物を保護するとともに、運搬物との摩擦力を高めている。
【００５５】
なお、ハンドカート１からパチスロ遊技機Ｓを離脱するには、図７に示すパチスロ遊技機Ｓを床面Ｆに置いた状態で、ストッパー制御部２５の第２ボタン３１を押し下げればよい。このようにすれば、ストッパー板４６が第１状態になって、先端側アーム５２の前方向への移動の規制が解除され、先端側アーム５２は、図３に示す付勢手段６８により前方向に押し出され、最も延びた状態（最長状態）になる。その結果、挟持部５８が前方向へ移動してパチスロ遊技機Ｓから離間するので、ハンドカート１からパチスロ遊技機Ｓを離脱することができる。すなわち、ハンドカート１からパチスロ遊技機Ｓをワンタッチ操作で極めて容易に取り外すことができる。
【００５６】
ここで、アーム５０をパチスロ遊技機Ｓの上面Ｓ４に載置した（上方に位置した）際、アーム５０が、図８（ｂ）に示すように斜めになって、パチスロ遊技機Ｓと平行にならない場合がある。アーム５０が斜めになっている状態でパチスロ遊技機Ｓを挟持すると、パチスロ遊技機Ｓと、挟持部５５および挟持部５８との間に隙間などができ、適正に挟持することができない。その結果、挟持力が弱まってしまい、好ましくない。そこで、このような問題を解決するため、本発明のハンドカート１には、次のような対策が施されている。
図８は、先端側アーム５２に取り付けられる挟持部５８の構成、および、アーム５０が斜めになっているときに、パチスロ遊技機Ｓを挟持するときの状態を示す説明図である。まず、図８（ａ）を参照して挟持部５８の構成について説明する。図８（ａ）は、挟持部５８の構成、および、挟持部５８のＬ字棒５９への取付状態を示す説明図である。なお、以下の説明では、図３，７も合わせて参照されたい。
【００５７】
挟持部５８は、上述したように、Ｌ字棒５９により先端側アーム５２に取り付けられている。挟持部５８の挟持面（ラバー５８ａ）の反対側には、左右両端から前方向に延びる略台形状の支持板５８ｂが立設され、この支持板５８ｂ，５８ｂの略中央には、支軸５８ｃが、架け渡されるように支持板５８ｂ，５８ｂに固着されている。一方、Ｌ字棒５９の先端には、筒状部５９ａが設けられ、この筒状部５９ａには支軸５８ｃが遊挿されている。この構成により、挟持部５８は、支軸５８ｃを中心に上下に回転可能に、かつ、図８（ａ）の矢印ＬＲに示すように、Ｌ字棒５９に対して左右に移動可能になっている。なお、図中、５８ｄは、スプリングであり、このスプリング５８ｄについては後述する。
【００５８】
図８（ｂ）は、アーム５０が斜めになっている状態で、パチスロ遊技機Ｓを挟持するときの状態を示す説明図である。アーム５０が斜めになっている状態（図示では右側に傾いた状態）で、上述したように操作部３６を操作して先端側アーム５２を後方向へ移動させると、挟持部５８も、パチスロ遊技機Ｓの先端側の側面Ｓ１に、右側に傾いた状態で当接する。すると、図８（ｂ）に示すように、挟持部５８の右側が側面Ｓ１から浮いた状態になっており、この状態でさらに先端側アーム５２を後方向へ移動させると、挟持部５８が、矢印Ｌに示すように左方向に移動し、それとともに、ハンドカート１が、矢印Ｃに示すように左方向に回転（図８において反時計回り）する。その結果、アーム５０が、図８（ｃ）に示すように、パチスロ遊技機Ｓと平行になった状態で、すなわち、挟持部５８の挟持面（ラバー５８ａ）が側面Ｓ１に隙間無く当接した状態で、パチスロ遊技機Ｓを挟持する。このように、挟持部５８を左右方向に所定区間移動可能に設けることで、運搬物の横ずれ防止機能となり、たとえアーム５０が斜めになっている状態でパチスロ遊技機Ｓを挟持しようとした場合であっても、自動的にアーム５０をパチスロ遊技機Ｓと平行にして、図７に示したように、適正に挟持することができる。
【００５９】
パチスロ遊技機Ｓを挟持した後、パチスロ遊技機Ｓを運搬するには、図９の矢印Ｄに示すように、ハンドル４を下方に回転するように操作して、ハンドカート１（カート本体２）を後側に傾斜させる。すると、パチスロ遊技機Ｓは、ハンドカート１に挟持された状態で、床面Ｆから浮き上がる。つまり、図７に示した状態から、図９に示す状態になる。そして、この状態で、ハンドル４を操作して、ハンドカート１を押したり引いたりまたは回転させることで、当該ハンドカート１を所望の方向に移動させることができる。すなわち、重量、体積の嵩むパチスロ遊技機Ｓを、女性や老人など、力の弱い者であっても、極めて容易に運搬することが可能となる。なお、図９は、ハンドカート１に挟持したパチスロ遊技機Ｓが床面Ｆから浮いた状態を示す説明図である。また、図９においては、リンク機構部３５および操作部３６は、スプリング３９の付勢により、パチスロ遊技機Ｓを挟持する前の状態（図３に示す状態）に復帰した様子を示している。
【００６０】
次に、挟持部５５および挟持部５８の取付状態の詳細について説明する。上述したように、挟持部５５は、Ｌ字棒５６により本体側アーム５１に取り付けられ、挟持部５８は、Ｌ字棒５９により先端側アーム５２に取り付けられている。図１０は、挟持部５５および挟持部５８の取付状態を示す説明図であり、図１０（ａ）は、先端側から視た挟持部５８の取付状態を示し、図１０（ｂ）は、本体側から視た挟持部５５の取付状態を示している。
図１０（ａ）を参照して、挟持部５８の構成は、上述の図８に示したとおりであり、支持板５８ｂ，５８ｂの間にはスプリング５８ｄが張架されている。スプリング５８ｄは、Ｌ字棒５９の先端側であって、支軸５８ｃおよび筒状部５９ａよりやや上側に配置されている。スプリング５８ｄは、パチスロ遊技機Ｓを挟持していないときはＬ字棒５９が支えとなって、挟持部５８が自重でラバー５８ａが下を向く方向へ回転するのを少なくしている。その結果、挟持部５８は、図３に示すように、内側にやや傾いた状態に維持されている。
【００６１】
先端側アーム５２の内部には、２本の棒部材８１が垂直状に設けられ、棒部材８１のそれぞれには、２本のスプリング８２と１枚の板状の揺動部材８３が遊嵌されている。揺動部材８３は、スプリング８２の上端に当接し、スプリング８２の上に載った状態で設けられている。
Ｌ字棒５９は、上述したように、先端側アーム５２の内部を通り、支軸６０で上下に回転可能に取り付けられ、従って挟持部５８も、Ｌ字棒５９に連動して上下に回転可能になっている（図３，７参照）。ここで、Ｌ字棒５９は、図１０（ａ）に示すように、筒状部５９ａから上方に延び、揺動部材８３の先端側を通った後に折れ曲がって、該揺動部材８３の上側を通るようになっている。これにより、後述する図１１の矢印Ａに示すように、Ｌ字棒５９が下方向に回転すると、揺動部材８３が棒部材８１に沿って下方向に移動しスプリング８２が収縮する状態になる。
【００６２】
図１０（ｂ）を参照して、挟持部５５は、挟持部５５の挟持面（ラバー５５ａ）の反対側には、左右から後方向に延びる略台形状の支持板５５ｂが立設され、この支持板５５ｂ，５５ｂの略下部には、支軸５５ｃが、架け渡されるように支持板５５ｂ，５５ｂに固着されている。Ｌ字棒５６は、先端に筒状部５６ａと、筒状部５６ａから上方に延びる２本のＬ字部５６ｂを有し、筒状部５６ａには支軸５５ｃが遊挿されている。この構成により、挟持部５５は、支軸５５ｃを中心に上下に回転可能になっている。
また、筒状部５６ａのやや上側であって、挟持部５５の挟持面反対側の略中央には、スプリング８４の一端を掛止する掛止部５５ｄが設けられ、スプリング８４の他端は、支持アーム５３（図３参照）の掛止部５３ａに掛止されている。スプリング８４は、パチスロ遊技機Ｓを挟持していないときは、挟持部５５が自重でラバー５５ａが下を向く方向へ回転するのを少なくしている。その結果、挟持部５５は、図３に示すように、内側にやや傾いた状態に維持されている。
【００６３】
つまり、挟持部５５と挟持部５は、パチスロ遊技機Ｓを挟持していないときは、ともに内側にやや傾いた状態に維持されており、従って、挟持部５５と挟持部５８との距離は、下端側同士の距離が最も長くなっている。これにより、パチスロ遊技機Ｓを挟持する際、挟持部５５と挟持部５８の間にパチスロ遊技機Ｓが位置するように、アーム５０を容易にパチスロ遊技機Ｓの上方にセットすることができる。すなわち、パチスロ遊技機Ｓを挟持する場合、挟持部５５と挟持部５８の挟持面（ラバー５５ａ，５８ａ）は、パチスロ遊技機Ｓに当接するまでは側面視ハ字状になるように設けられ、パチスロ遊技機Ｓに当接した後は、先端側アーム５２の後方向への移動に伴って側面視平行状になるように遷移するようになっている。この構成によれば、極めて容易に挟持部５５と挟持部５８との間にパチスロ遊技機Ｓが位置するようにアーム５０をセットできるとともに、挟持部５５と挟持部５８とでしっかりとパチスロ遊技機Ｓを挟持することができる。
【００６４】
Ｌ字棒５６は、上述したように、本体側アーム５１の両側面に支軸５７で上下に回転可能に取り付けられている（図３，７参照）。つまり、本体側アーム５１の両側面にＬ字部５６ｂが延びて、このＬ字部５６ｂが支軸５７に上下に回転可能に取り付けられている。従って挟持部５５も、Ｌ字棒５６に連動して上下に回転可能になっている。これにより、後述する図１１の矢印Ｂに示すように、Ｌ字棒５６が下方向に回転すると、スプリング８４は下方向に伸長する状態になる。
【００６５】
図１１は、パチスロ遊技機Ｓを挟持しているときの、挟持部５５とＬ字棒５６および挟持部５８とＬ字棒５９の動作状態を示す説明図である。パチスロ遊技機Ｓを挟持して、上述した図９に示すように、パチスロ遊技機Ｓを床面Ｆから浮かせると、パチスロ遊技機Ｓの重量により、わずかではあるが、Ｌ字棒５９は、スプリング８２の付勢に抗して、矢印Ａに示すように支軸６０を中心に下方に回転し、Ｌ字棒５６は、スプリング８４の付勢に抗して、矢印Ｂに示すように支軸５７で下方に回転する。すると、図１１の二点鎖線で示すように、挟持部５５のラバー５５ａと挟持部５８のラバー５８ａとの距離が短くなる。
すなわち、挟持部５５および挟持部５８は、パチスロ遊技機Ｓを挟持した状態で互いの距離が短くなるように下方に回転可能に本体側アーム５１および先端側アーム５２に軸支されている。これにより、ラバー５５ａ，５８ａが撓み、運搬時に浮いた状態のパチスロ遊技機Ｓをより強力に挟持部５５と挟持部５８とで挟持することができる。この場合、Ｌ字棒５６，５９が下方に回転すればするほど、挟持部５５，５８の挟持力が強くなる。なお、パチスロ遊技機Ｓは、ラバー５５ａ，５８ａに挟持されるとともに、支持プレート１３のラバー１５に支持されるように当接しているので、これらラバー５５ａ，５８ａ，１５との摩擦により、パチスロ遊技機Ｓのみが下方にずれることはほとんどない。また、Ｌ字棒５６，５９は、ハンドカート１からパチスロ遊技機Ｓを離脱したときは、スプリング８２，８４の付勢により、パチスロ遊技機Ｓを挟持する前の位置に自動的に復帰する。
【００６６】
次に、図１２を参照しながら、補助車輪ユニット７０について説明する。図１２は、補助車輪ユニット７０の使用状態を示す説明図である。補助車輪ユニット７０は、パチスロ遊技機Ｓを３輪で安定的に運搬したいときに使用する部材である。未使用時は、上述したように、収納部材１８（図１参照）で、図９に示すように、カート本体２の縦パイプ６と平行状に収納され、中横板８に突設された支持板２４により、原点位置から後側上下に所定区間回動可能に軸支されている。つまり、補助車輪ユニット７０は、図１，２に示すカート本体２の後側中央で、原点位置（収納位置ともいう）に折り畳まれた未使用状態から、図１２の矢印Ｅに示す使用位置まで、後側上方に回転可能となっている。
すなわち、ハンドカート１において、アーム５０および補助車輪ユニット７０は、未使用時には、図２に示すように、折り畳んでカート本体２に沿うように垂直状に収納可能となっている。これにより、ハンドカート１の幅が小さくなり、ハンドカート１を保管するときに場所をとることがない。その結果、ハンドカート１の保管場所の小スペース化がはかれる。
【００６７】
図１２おいて、７１は、筒状支柱としてのユニット本体であり、ユニット本体７１の下部には、Ｌ字状の支持板７２を介して補助車輪７３が回転自在に取り付けられている。一方、ユニット本体７１の上部には、固定ボルト７４が取り付けられている。この固定ボルト７４は、補助車輪ユニット７０を使用状態で固定する機能を有している。
補助車輪ユニット７０は、後側上方に最大限回転させることで、図１２の矢印Ｅに示す使用位置まで回転する。つまり、補助車輪ユニット７０は、使用位置まで回転すると、ユニット本体７１の上端に形成された係合部７５が、カート本体２の中横板８と係合してそれ以上の後側上方への回転が規制される。これにより、補助車輪ユニット７０の位置が固定される。そして、補助車輪ユニット７０の位置が固定した状態で、固定ボルト７４を、図１２の矢印Ｔに示すように、時計回りに回転する。すると、固定ボルト７４は、ユニット本体７１の先端から突出して、中横板８に設けられたネジ孔に螺着し、これにより、補助車輪ユニット７０は、使用位置からの移動が規制される。なお、固定ボルト７４の頭部には把持部７４ａが設けられており、把持部７４ａを回転させることで、固定ボルト７４を容易に中横板８に螺着することができる。
【００６８】
ここで、パチスロ遊技機Ｓを挟持してからハンドカート１（カート本体２）を後側に傾斜させるとともに、補助車輪ユニット７０（ユニット本体７１）を後側上方に最大限回転させて、補助車輪７３を床面Ｆと接地させた状態では、図１２に示すように、パチスロ遊技機Ｓの最上点Ｐ１と最下点Ｐ２を通る対角線（一点鎖線で図示）が、ほぼ垂直になるようになっている。換言すれば、補助車輪ユニット７０の使用位置となる最大限の回転角度は、パチスロ遊技機Ｓの最上点Ｐ１と最下点Ｐ２を通る対角線がほぼ垂直になる角度に予め設定されている。パチスロ遊技機Ｓの最上点Ｐ１と最下点Ｐ２を通る対角線がほぼ垂直になると、当該対角線は、矢印Ｇで示すパチスロ遊技機Ｓの重心線と重なることになる。これにより、パチスロ遊技機Ｓは、前後方向のバランスが最も安定した状態になり、その結果、ハンドカート１によるパチスロ遊技機Ｓの運搬を、転倒などのトラブルを抑止した極めて安全な状態で行うことができる。
なお、ハンドカート１による運搬は、通常は、ハンドル４を操作して行うが、補助車輪７３を使用して３輪で行う場合には、取手２２を使用しても、ハンドル４を使用した場合と遜色なく行うことができる。特に、取手２２を使用する場合、片手で操作できるので、ハンドカート１を２台まとめて使用することも可能である。
【００６９】
また、上述の図１２では、運搬物がパチスロ遊技機Ｓの場合を例示したが、運搬物がパチンコ遊技機の場合には、パチンコ遊技機はパチスロ遊技機Ｓよりも幅が広いので、上記と同様に、ハンドカート１にセットしたパチンコ遊技機の対角線がほぼ垂直になるようにするには、その分、補助車輪ユニット７０の使用位置となる最大限の回転角度を大きくすればよい。
なお、仮に、補助車輪ユニット７０の使用位置がパチンコ遊技機に合わせてあるハンドカート１に、パチスロ遊技機Ｓをセットした場合、対角線よりも重心線が後方側にくるので、ハンドカート１には、前方側よりも後方側に負荷が大きくかかる。しかしながら、ハンドカート１の後方側は、車輪１７および補助車輪７３で支えられているので、ほとんど支障なく運搬することができる。一方、補助車輪ユニット７０の使用位置がパチスロ遊技機Ｓに合わせてあるハンドカート１に、パチンコ遊技機をセットした場合、上記と逆に、対角線よりも重心線が前方側にくるので、ハンドカート１には、後方側よりも前方側に負荷が大きくかかる。この場合、ハンドカート１の前方側は何もないので、ハンドカート１は前方側に転倒しやすい状態となる。
すなわち、運搬物を挟持してからハンドカート１（カート本体２）を後側に傾斜させるとともに、補助車輪ユニット７０（ユニット本体７１）を後側上方に最大限回転させて、補助車輪７３を床面Ｆと接地させた状態では、運搬物の最上点と最下点を通る対角線がほぼ垂直になる（重心線と重なる）ようにする、もしくは、対角線よりも重心線が後方側にくるようにするのが望ましい。
【００７０】
＜他の実施形態＞
次に、他の実施形態について、図１３，１４を用いて説明する。図１３は、他の実施形態に係わる下ずれ防止板９０の構成を示す説明図であって、図１３（ａ）は、他の実施形態に係わるハンドカート１の正面図、図１３（ｂ）は、他の実施形態に係わる下ずれ防止板９０の斜視図である。
ハンドカート１の下部ユニット３は、上述したように、上板１０の前端から下方に垂設される前板１１と、該前板１１の前方に突出するラバー１５が貼着された支持プレート１３を有しており、下ずれ防止板９０は、前板１１の下端中央であって、支持プレート１３の下方に位置するように設けられている。
【００７１】
下ずれ防止板９０は、前方側に突出する受け板９１と、受け板９１の後端から上方に垂設される台形状の取付板９２とで、図１３（ｂ）に示すように、薄肉の略Ｌ字板状に形成されている。受け板９１は、略矩形状に形成された受け部９１ａと、受け部９１ａの先端側左右に一対設けられたテーパー状の先端部９１ｂを有している。また、取付板９２下部の左右には、一対の孔９２ａが穿設されている。
このように構成される下ずれ防止板９０は、図１３（ｂ）に示すボルト９５を孔９２ａを介して前板１１の裏面に螺着することで、ハンドカート１に着脱自在に設けられている。下ずれ防止板９０をハンドカート１に取り付けるには、前板１１の下端中央に設けられた切欠部１１ａに、受け部９１ａの後端上面が当接するように下ずれ防止板９０を嵌め込む。すると、前板１１の裏面と取付板９２の前面がぴったりと当接するので、この状態でボルト９５を孔９２ａを介して前板１１の裏面に螺着すればよい。これにより、下ずれ防止板９０は、極めて容易にハンドカート１に取り付けることができる。
【００７２】
図１４は、他の実施形態に係わるハンドカート１に挟持したパチスロ遊技機Ｓが床面Ｆから浮いた状態を示す説明図である。ここで、他の実施形態では、パチスロ遊技機Ｓをハンドカート１にセトする場合、パチスロ遊技機Ｓを下ずれ防止板９０に載せる必要がある。しかしながら、下ずれ防止板９０は、上述したようにテーパー状の先端部９１ｂを有しおり、この先端部９１ｂの先端側は、図１３，１４に示すように、ほとんど厚みがない。従って、パチスロ遊技機Ｓを下ずれ防止板９０に載せるには、床面Ｆに置かれたパチスロ遊技機Ｓを、先端部９１ｂに向かってラバー１５に当接するまでスライドさせるだけで、パチスロ遊技機Ｓを下ずれ防止板９０に極めて容易に載せることができる。すなわち、パチスロ遊技機Ｓを下ずれ防止板９０に載せる場合に、わざわざ重いパチスロ遊技機Ｓを持ち上げる必要がない。また、パチスロ遊技機Ｓを下ずれ防止板９０に載せた状態では、パチスロ遊技機Ｓの後端側が受け部９１ａの厚み分だけ高くなるが、受け部９１ａの肉厚は極めて薄いので（１〜３ミリ程度）、その後にアーム５０でパチスロ遊技機Ｓを挟持する作業に支障することはない。
【００７３】
そして、図１４に示すように、パチスロ遊技機Ｓを下ずれ防止板９０に載せた状態で、ハンドカート１（カート本体２）を後側に傾斜させ、床面Ｆから浮き上がらせた状態でパチスロ遊技機Ｓを運搬する場合に、下ずれ防止板９０によりパチスロ遊技機Ｓの下方へのずれを抑止することができる。その結果、運搬途中にパチスロ遊技機Ｓが落下したりするなどのトラブルを、極力回避することができる。なお、下ずれ防止板９０は、まんがいちのトラブルに備えるためのもので、パチスロ遊技機Ｓを下ずれ防止板９０に載せる作業が煩わしいと思う場合には、当然ながら、下ずれ防止板９０を取り付けないでハンドカート１を使用すればよい。
【００７４】
以上、本発明に係るハンドカートを図面に基づいて説明してきたが、具体的な構成は実施形態に示したものに限定されるものではなく、本発明の要旨を逸脱しない範囲における変更や追加などがあっても本発明に含まれる。
なお、本明細書において使用される用語は、特に言及しない限り、当該分野で通常用いられる意味で用いられることが理解されるべきである。従って、他に定義されない限り、本明細書中で使用される全ての専門用語及び技術用語は、本発明の属する分野の当業者によって一般的に理解されるのと同じ意味を有する。矛盾する場合、本明細書（定義も含めて）が優先する。
【符号の説明】
【００７５】
１…ハンドカート、２…カート本体、３…下部ユニット、４…ハンドル、５…横パイプ、６…縦パイプ、７…上横板、８…中横板、１０…上板、１１…前板、１１ａ…切欠部、１２…窓、１３…支持プレート、１４…連結棒、１５…ラバー、１６…支持板、１７…車輪、１８…収納部材、１９…鍔、２０…スプリング、２１…保護材、２２…取手、２３…緩衝材、２４…支持板、２５…ストッパー制御部、２６…ハウジング、２６ａ…上面、２６ｂ…前面、２６ｃ…後面、２６ｄ…側面、２６ｅ…孔、２６ｆ…孔、２７…プランジャー、２８…溝、２９…板バネ、２９ａ…固定板、２９ｂ…Ｌ字板、２９ｃ…孔、２９ｄ…孔、２９ｅ…横板部、２９ｆ…縦板部、３０…第１ボタン、３１…第２ボタン、３２…溝、３３…スプリング、３４…段差部、３５…リンク機構部、３６…操作部、３７…グリップ、３８…スライダー、３９…スプリング、４０…第１リンク部材、４０ａ…第１リンク、４０ｂ…連結板、４０ｃ…突起、４１…第２リンク、４２…第３リンク、４２ａ…一側面、４３…第１軸支部、４４…第１ジョイント、４４ａ…円形係合部、４５…ストッパー機構部、４６…ストッパー板、４６ａ…棒部、４６ｂ…板部、４６ｃ…孔、４７…位置規制部、４７ａ…前棒、４７ｂ…後棒、４８…スプリング、４９…第２ジョイント、５０…アーム、５１…本体側アーム、５２…先端側アーム、５３…支持アーム、５３ａ…掛止部、５４…係合板、５５…挟持部、５５ａ…ラバー、５５ｂ…支持板、５５ｃ…支軸、５５ｄ…掛止部、５６…Ｌ字棒、５６ａ…筒状部、５６ｂ…Ｌ字部、５７…支軸、５８…挟持部、５８ａ…ラバー、５８ｂ…支持板、５８ｃ…支軸、５８ｄ…スプリング、５９…Ｌ字棒、５９ａ…筒状部、６０…支軸、６１…孔、６２…孔、６３…固定ピン、６４…摘み、６５…目安部、６６…棒部材、６７…後端カバー、６８…付勢手段、７０…補助車輪ユニット、７１…ユニット本体、７２…支持板、７３…補助車輪、７４…固定ボルト、７４ａ…把持部、７５…係合部、８０…ナット、８１…棒部材、８２…スプリング、８３…揺動部材、８４…スプリング、９０…下ずれ防止板、９１…受け板、９１ａ…受け部、９１ｂ…先端部、９２…取付板、９２ａ…孔、９５…ボルト、Ｆ…床面、Ｓ…パチスロ遊技機、Ｓ１…側面、Ｓ２…側面、Ｓ３…下面、Ｓ４…上面。
【図１】
2018184070.tif 000003
【図２】
2018184070.tif 000004
【図３】
2018184070.tif 000005
【図４】
2018184070.tif 000006
【図５】
2018184070.tif 000007
【図６】
2018184070.tif 000008
【図７】
2018184070.tif 000009
【図８】
2018184070.tif 000010
【図９】
2018184070.tif 000011
【図１０】
2018184070.tif 000012
【図１１】
2018184070.tif 000013
【図１２】
2018184070.tif 000014
【図１３】
2018184070.tif 000015
【図１４】
2018184070.tif 000016